(57)【特許請求の範囲】
【請求項１】
吸入口及び吐出口を備え、冷媒を前記吸入口から吸入するとともに吸入した冷媒を圧縮し、圧縮した冷媒を前記吐出口から吐出する圧縮機と、
冷媒を外気と熱交換させるための室外熱交換器と、
冷媒を膨張させるための膨張弁と、
冷媒を室内気と熱交換させるための複数の室内熱交換器と、
冷媒を気液分離するためのアキュムレータと、
冷房運転時に、前記圧縮機の前記吐出口から吐出された冷媒が、前記室外熱交換器、前記膨張弁、複数の前記室内熱交換器、前記アキュムレータをこの順に流れてから、前記圧縮機の前記吸入口に戻されるように、前記圧縮機、前記室外熱交換器、前記膨張弁、複数の前記室内熱交換器、及び前記アキュムレータを接続する冷媒通路と、
前記圧縮機の前記吐出口に接続される第一ポートと、前記室内熱交換器に接続される第二ポートと、前記室外熱交換器に接続される第三ポートと、前記アキュムレータに接続される第四ポートとを有し、冷房運転時に前記第一ポートと前記第三ポートが連通するとともに前記第二ポートと前記第四ポートが連通するように制御される四方弁と、
冷房運転時に前記冷媒通路のうち前記室内熱交換器よりも下流側であって且つ前記四方弁よりも上流側の部分を流れる冷媒を、前記圧縮機の前記吸入口に導くバイパス通路と、
前記バイパス通路に介装され、開くことによって前記バイパス通路内の冷媒の流通が許可され、閉じることによって前記バイパス通路内の冷媒の流通が禁止されるように構成されるバイパス開閉弁と、
前記バイパス開閉弁の開閉動作を制御する制御装置とを備え、
前記制御装置が、
冷房運転時に、複数の前記室内熱交換器のうち運転中の室内熱交換器の総運転容量が小さいほど低くなるように、前記総運転容量に基づく前記圧縮機の下限回転速度を定める下限回転速度設定処理と、
冷房運転時における前記圧縮機の実回転速度が、前記下限回転速度以上であるときに前記バイパス開閉弁が開き、冷房運転時における前記圧縮機の実回転速度が、前記下限回転速未満であるときに前記バイパス開閉弁が閉じるように、前記バイパス開閉弁の開閉動作を制御する開閉弁制御処理と、
を実行する、空気調和装置。
【請求項２】
請求項１に記載の空気調和装置において、
前記下限回転速度設定処理は、設定した下限回転速度以上の回転速度で前記圧縮機が作動したときに、前記圧縮機の前記吸入口に吸入される冷媒に液冷媒が含まれないように、前記総運転容量に基づいて下限回転速度を定める処理である、空気調和装置。
【請求項３】
請求項１または２に記載の空気調和装置において、
前記制御装置は、冷房運転時に前記室内熱交換器内に寝込んでいるオイルを前記圧縮機に戻すためのオイル戻し制御が実行されているときに、前記バイパス開閉弁が閉じるように、前記バイパス開閉弁を制御する、空気調和装置。
【請求項４】
請求項１乃至３のいずれか１項に記載の空気調和装置において、
前記制御装置は、前記空気調和装置による冷房運転の開始時から、前記空気調和装置の運転が安定するまでの時間として予め定められている所定時間が経過する前は、前記バイパス開閉弁が閉じるように、前記バイパス開閉弁を制御する、空気調和装置。
【発明の詳細な説明】
【技術分野】
【０００１】
本発明は、空気調和装置に関する。
【背景技術】
【０００２】
従来から、圧縮機、室外熱交換器、膨張弁、室内熱交換器、及びアキュムレータを備ええ、冷媒の凝縮作用及び蒸発作用を利用して空調を実行する空気調和装置が知られている。このような空気調和装置の冷房運転時には、圧縮機の吐出口から吐出された冷媒が、室外熱交換器、膨張弁、室内熱交換器、アキュムレータをこの順に流れ、その後、アキュムレータから圧縮機の吸入口に気相の冷媒が戻される。このとき室内熱交換器内の冷媒が室内気と熱交換することにより、室内が冷房される。一方、暖房運転時に、圧縮機の吐出口から吐出された冷媒が、室内熱交換器、膨張弁、室外熱交換器、アキュムレータをこの順に流れ、その後、アキュムレータから圧縮機の吸入口に気相の冷媒が戻される。このとき室内熱交換器にて冷媒と室内気とが熱交換することにより、室内が暖房される。
【０００３】
特許文献１は、上記構成に加え、室外熱交換器と膨張弁との間に設けられた気液分離器と、気液分離器で気液分離された気相冷媒を圧縮機の吸入口に戻すためのバイパス通路と、バイパス通路に介装されたバイパス開閉弁と、バイパス開閉弁の開閉動作を制御する制御装置とを備える空気調和装置を開示する。特許文献１に記載の空気調和装置によれば、冷房運転時に、以下の条件が全て成立したときに、バイパス開弁が開き、それ以外のときにバイパス開閉弁が閉じるように、制御装置によりバイパス開閉弁の開閉動作が制御される。
・圧縮機の回転速度（運転周波数）が所定の高回転速度以上である
・外気温度が任意の設定値以上である
・室内温度が任意の設定温度同等以上である
・室内ファンモータの回転速度が任意の設定回転速度以上である
【０００４】
特許文献１に記載の空気調和装置において、上記条件を全て満たしてバイパス開閉弁が開いた場合、気液分離器で気液分離された気相冷媒がバイパス通路を通って圧縮機に戻される。このため、室外熱交換器を流出した気相冷媒が膨張弁、室内熱交換器、アキュムレータをバイパスする。よって、冷媒がこれらを通過する際における圧力損失は生じない。その結果、冷房運転時における冷凍効率を高めることがでる。
【先行技術文献】
【特許文献】
【０００５】
【特許文献１】特開２０１０−９６４７９号公報
【発明の概要】
【０００６】
（発明が解決しようとする課題）
ところで、近年の建築技術の進歩に伴い、建築物の高断熱化も進んでいる。従って、室内の寒暖の差も小さくなりつつあり、それに伴って、室内空調時における空調負荷も小さくなってきている。空調負荷が小さい場合、空気調和装置に備えられる圧縮機の回転速度が低くされる。つまり、現状の建築物の室内空調においては、ほとんどの場合、圧縮機は低回転速度で作動している。
【０００７】
特許文献１に記載の制御によれば、バイパス開閉弁を開くための条件に、圧縮機の回転速度（運転周波数）が所定の高回転速度以上であるという条件が含まれる。このことは、圧縮機の回転速度が所定の高回転速度未満である場合、すなわち圧縮機の回転速度が低い場合には、バイパス開閉弁が閉じていることを意味する。ここで、上記したように、現状の建築物の室内空調においては、ほとんどの場合、圧縮機の回転速度が低い。よって、特許文献１に記載の制御方式によりバイパス開閉弁を開閉制御した場合、ほとんどの場合、バイパス開閉弁が閉じている。従って、冷房運転時における冷凍効率を十分に高めることができない。
【０００８】
本発明は、冷房運転時における冷凍効率をより一層高めることができるように構成された空気調和装置を提供することを目的とする。
【０００９】
（課題を解決するための手段）
本発明は、吸入口（１１ａ）及び吐出口（１１ｂ）を備え、冷媒を吸入口から吸入するとともに吸入した冷媒を圧縮し、圧縮した冷媒を吐出口から吐出する圧縮機（１１）と、冷媒を外気と熱交換させるための室外熱交換器（１４）と、冷媒を膨張させるための膨張弁（２１）と、冷媒を室内気と熱交換させるための複数の室内熱交換器（２２）と、冷媒を気液分離するためのアキュムレータ（１８）と、冷房運転時に、圧縮機の吐出口から吐出された冷媒が、室外熱交換器、膨張弁、複数の室内熱交換器、アキュムレータをこの順に流れてから、圧縮機の吸入口に戻されるように、圧縮機、室外熱交換器、膨張弁、複数の室内熱交換器、及びアキュムレータを接続する冷媒通路（３０）と、圧縮機の吐出口に接続される第一ポート（１３ａ）と、室内熱交換器に接続される第二ポート（１３ｂ）と、室外熱交換器に接続される第三ポート（１３ｃ）と、アキュムレータに接続される第四ポート（１３ｄ）とを有し、冷房運転時に第一ポートと第三ポートが連通するとともに第二ポートと第四ポートが連通するように制御される四方弁（１３）と、冷房運転時に冷媒通路のうち複数の室内熱交換器よりも下流側であって且つ四方弁よりも上流側の部分を流れる冷媒を、圧縮機の吸入口に導くバイパス通路（３８）と、バイパス通路に介装され、開くことによってバイパス通路内の冷媒の流通が許可され、閉じることによってバイパス通路内の冷媒の流通が禁止されるように構成されるバイパス開閉弁（６１）と、バイパス開閉弁の開閉動作を制御する制御装置（４０）とを備え、制御装置が、冷房運転時に、複数の室内熱交換器のうち運転中の室内熱交換器の総運転容量が小さいほど低くなるように、総運転容量に基づく圧縮機の下限回転速度（Ｒ１）を定める下限回転速度設定処理（Ｓ４）と、冷房運転時における圧縮機の実回転速度（Ｒ）が下限回転速度以上であるときにバイパス開閉弁が開き、冷房運転時における圧縮機の実回転速度が下限回転速度未満であるときにバイパス開閉弁が閉じるように、バイパス開閉弁の開閉動作を制御する開閉弁制御処理（Ｓ６，Ｓ８，Ｓ９）と、を実行する、空気調和装置（１）を提供する。
【００１０】
この場合において、下限回転速度設定処理は、設定した下限回転速度以上の回転速度で圧縮機が作動したときに、圧縮機の吸入口に吸入される冷媒に液冷媒が含まれないように、総運転容量に基づいて下限回転速度を定める処理であるのがよい。
【００１１】
本発明に係る空気調和装置によれば、冷房運転時にバイパス開閉弁が開いている場合、室内熱交換器を流出した冷媒は、バイパス通路を経由して圧縮機の吸入口に戻される。バイパス通路を流れる冷媒は、少なくともアキュムレータをバイパスする。このため、冷媒がアキュムレータを通過することによる圧力損失は生じない。こうしてアキュムレータを通過する分の圧力損失が低減されるため、冷房運転時における冷凍効率が高められる。
【００１２】
ここで、バイパス通路を流れる冷媒はアキュムレータをバイパスするため、バイパス通路内の冷媒に液冷媒が含まれていると、圧縮機の吸入口に液冷媒が吸入されることになる。圧縮機に液冷媒が吸入された場合、圧縮機が液冷媒を圧縮をするため好ましくない。この点に関し、本発明においては、バイパス開閉弁が開いているときは、圧縮機の実回転速度が、必ず、運転中の室内熱交換器の総運転容量に基づいて定められる下限回転速度以上であり、下限回転速度は、その下限回転速度以上の回転速度で圧縮機が作動したときに、圧縮機の吸入口に吸入される冷媒に液冷媒が含まれないように、運転中の室内熱交換器の総運転容量に基づいて定められている。よって、バイパス開閉弁が開いているときであっても、圧縮機に液冷媒が吸入されることはなく、それ故に、圧縮機が液冷媒を圧縮することはない。
【００１３】
さらに、バイパス開閉弁の開閉動作に影響する圧縮機の下限回転速度は、運転中の室内熱交換器の総運転容量に基づいて、総運転容量が小さいほど小さくなるように、定められる。これによれば、総運転容量が小さい低負荷運転時には、圧縮機の回転速度が相対的に小さくされるが、このとき本発明においては圧縮機の下限回転速度も小さくされる。つまり、圧縮機の下限回転速度は、負荷に応じて変動する。従って、低負荷運転時には、バイパス開閉弁を開いてもよい圧縮機の回転速度領域の下限が低くされる。そのため、低負荷運転時であっても、室内熱交換器を流出したガス冷媒がアキュムレータをバイパスするように、バイパス開閉弁を開いておくことが可能になる。よって、低負荷運転時であっても室内熱交換器を流出したガス冷媒をアキュムレータを通さずに直接圧縮機に戻すことにより、冷房運転時における冷凍効率を高めることができる。
【００１４】
また、バイパス通路は、冷房運転時に、冷媒通路のうち室内熱交換器よりも下流側であって且つ四方弁よりも上流側の部分を流れる冷媒を、圧縮機の吸入口に導くように構成される。これによれば、バイパス開閉弁が開いている場合、室内熱交換器から流出した冷媒は、四方弁及びアキュムレータをバイパスして、圧縮機の吸入口に流入する。このため、冷媒が四方弁及びアキュムレータを通過することによる圧力損失は生じない。こうして四方弁及びアキュムレータを通過することによる圧力損失分が低減されるため、冷房運転時における冷凍効率がより一層高められる。
【００１５】
また、制御装置は、冷房運転時に室内熱交換器内に寝込んでいるオイルを圧縮機に戻すためのオイル戻し制御が実行されているときに、バイパス開閉弁が閉じるように、バイパス開閉弁を制御するとよい。これによれば、オイル戻し制御の実行時にオイルとともに液冷媒がバイパス通路を経由して圧縮機の吸入口に流入することが防止される。
【００１６】
また、制御装置は、空気調和装置による冷房運転の開始時から、空気調和装置の運転が安定するまでの時間として予め定められている所定時間が経過する前は、バイパス開閉弁が閉じるように、バイパス開閉弁を制御するとよい。空気調和装置の始動直後においては、空気調和装置の運転状態が不安定である。不安定な運転状態である時にバイパス開閉弁を開いた場合、バイパス通路内を液冷媒が流れる虞がある。この点に関し、本発明においては、空気調和装置の冷房運転の始動完了後であって所定時間経過する前は、バイパス開閉弁が閉じている。よって、始動初期にバイパス通路を経由して圧縮機に液冷媒が供給されることが効果的に防止される。
【図面の簡単な説明】
【００１７】
【図１】本実施形態に係る空気調和装置の概略構成を示す図である。
【図２】室外機及び室内機の内部構成を示す図である。
【図３】制御装置がバイパス開閉弁の開閉を制御するために実行する開閉弁制御処理ルーチンの流れを示すフローチャートである。
【図４】制御装置が実行する下限回転速度演算処理の流れの一例を示すフローチャートである。
【発明を実施するための形態】
【００１８】
以下、本発明の実施形態について図面を参照して説明する。図１は、本実施形態に係る空気調和装置の概略構成を示す図である。図１に示すように、本実施形態に係る空気調和装置１は、室外機１０と、複数の室内機２０ａ，２０ｂ，２０ｃ，２０ｄと、冷媒配管３０（冷媒通路）を備える。室外機１０及び複数の室内機２０ａ，２０ｂ，２０ｃ，２０ｄが冷媒配管３０により並列的に接続される。
【００１９】
図２は、空気調和装置１に備えられる室外機１０の内部構成及び室内機２０ａ，２０ｂ，２０ｃ，２０ｄの内部構成を示す図である。図２においては、複数の室内機のうち室内機２０ａのみの内部構成を示すが、全ての室内機の内部構成は同じである。
【００２０】
図２に示すように、室外機１０は、圧縮機１１と、オイルセパレータ１２と、四方弁１３と、室外熱交換器１４と、室外側電子膨張弁１５と、サブ熱交換器１６と、過冷却コイル１７と、アキュムレータ１８とを備える。また、室内機２０ａ，２０ｂ，２０ｃ，２０ｄは、それぞれ、室内側電子膨張弁２１と、室内熱交換器２２とを備える。これらの構成要素が、第一配管３１、第二配管３２、第三配管３３、中間配管３４、アキュムレータ入口配管３５及び、アキュムレータ出口配管３６により接続される。第一配管３１、第二配管３２、第三配管３３、中間配管３４、アキュムレータ入口配管３５、及びアキュムレータ出口配管３６が、冷媒配管３０（冷媒通路）を構成する。
【００２１】
圧縮機１１は例えばガスエンジン等の動力源に接続され、動力源からの駆動力を受けて回転作動する。圧縮機１１は吸入口１１ａ及び吐出口１１ｂを有する。圧縮機１１は、吸入口１１ａから冷媒ガスを吸入し、内部で冷媒ガスを圧縮し、圧縮した冷媒ガスを吐出口１１ｂから吐出する。なお、図２には２台の圧縮機１１，１１が並列的に接続されている例が示されているが、圧縮機の個数は１個でもよいし、３個以上でもよい。また、複数の圧縮機を直列接続してもよい。
【００２２】
圧縮機１１の吐出口１１ｂは第一配管３１の一端に接続される。第一配管３１の途中にオイルセパレータ１２が介装される。オイルセパレータ１２は、圧縮機１１の吐出口１１ｂから吐出されたオイルを回収する。回収されたオイルは圧縮機１１の吸入口１１ａ側に戻される。
【００２３】
第一配管３１の他端に四方弁１３が接続される。四方弁１３は、第一ポート１３ａ、第二ポート１３ｂ、第三ポート１３ｃ、及び、第四ポート１３ｄを有する。四方弁１３の第一ポート１３ａは、第一配管３１を介して圧縮機１１の吐出口１１ｂに接続される。四方弁１３の第二ポート１３ｂは、第二配管３２を介して複数の室内機に備えられるそれぞれの室内熱交換器２２に接続される。四方弁１３の第三ポート１３ｃは、第三配管３３を介して室外熱交換器１４に接続される。そして、四方弁１３の第四ポート１３ｄは、アキュムレータ入口配管３５を介してアキュムレータ１８に接続される。
【００２４】
四方弁１３は、第一ポート１３ａが第二ポート１３ｂに連通するとともに第三ポート１３ｃが第四ポート１３ｄに連通する暖房時切換状態と、第一ポート１３ａが第三ポート１３ｃに連通するとともに第二ポート１３ｂが第四ポート１３ｄに連通する冷房時切換状態とを、選択的に実現することができるように構成される。
【００２５】
第三配管３３を介して四方弁１３の第三ポート１３ｃに接続された室外熱交換器１４は、その内部を流通する冷媒と外気とを熱交換させる。この室外熱交換器１４には中間配管３４の一端が接続される。中間配管３４の他端は、複数の室内機にそれぞれ備えられる室内熱交換器２２にそれぞれ接続される。室内熱交換器２２は、その内部を流通する冷媒と室内気とを熱交換させる。
【００２６】
中間配管３４の途中の部分であって室外機１０側に配置される部分に過冷却コイル１７が介装される。過冷却コイル１７は、内部を通る冷媒を過冷却させる。また、中間配管３４の位置Ａから位置Ｂまでの間の部分は、２つの配管（配管Ｌ１、配管Ｌ２）に分岐している。配管Ｌ１には一方向弁１９が介装され、配管Ｌ２には室外側電子膨張弁１５が介装される。冷房運転時には冷媒は配管Ｌ１を流れ、暖房運転時には冷媒は配管Ｌ２を流れる。配管Ｌ２に介装された室外側電子膨張弁１５は、そこを流れる冷媒を膨張させる。室外側電子膨張弁１５は開度調整可能な流量調整弁でもあり、配管Ｌ２を流れる冷媒の流量を調整することができる。
【００２７】
中間配管３４の途中の部分であって室内機２０ａ，２０ｂ，２０ｃ，２０ｄ内に配置される部分にそれぞれ室内側電子膨張弁２１が介装される。室内側電子膨張弁２１は、そこを流れる冷媒を膨張させる。室内側電子膨張弁２１は開度調整可能な流量調整弁である。それぞれの室内機に備えられる室内側電子膨張弁２１は、それぞれ個別に作動することができる。従って、ある室内機の運転を停止する場合、その室内機の室内熱交換器２２に冷媒が流入しないように、その室内機の室内側電子膨張弁２１が閉じられる。
【００２８】
また、上述したように、複数の室内熱交換器２２は、それぞれ、第二配管３２を通じて四方弁１３の第二ポート１３ｂに接続されている。よって、室内熱交換器２２から第二配管３２側に流出した冷媒は、第二配管３２を通って四方弁１３の第二ポートに流入する。
【００２９】
アキュムレータ入口配管３５を介して四方弁１３の第四ポート１３ｄに接続されたアキュムレータ１８は、さらにアキュムレータ出口配管３６を介して圧縮機１１の吸入口１１ａに接続される。このアキュムレータ１８は、アキュムレータ入口配管３５側から冷媒を導入し、導入した冷媒を気液分離する。アキュムレータ１８内で気液分離されたガス冷媒が、アキュムレータ出口配管３６を経由して圧縮機１１の吸入口１１ａに戻される。
【００３０】
また、アキュムレータ入口配管３５と中間配管３４が分岐配管３７により接続される。分岐配管３７にサブ熱交換器１６が介装される。分岐配管３７を流れる冷媒は、サブ熱交換器１６に入り、サブ熱交換器１６にて、例えば圧縮機１１の動力源たるガスエンジンを冷却した冷却水と熱交換する。
【００３１】
また、第二配管３２とアキュムレータ出口配管３６がバイパス配管３８（バイパス通路）により接続される。このバイパス配管３８にはバイパス開閉弁６１が介装される。さらに、第一配管３１とアキュムレータ入口配管３５がホットガスバイパス配管３９により接続される。このホットガスバイパス配管３９にホットガスバイパス開閉弁６２が介装される。
【００３２】
また、本実施形態に係る空気調和装置１は、制御装置４０を備える。制御装置４０は、ＣＰＵ，ＲＯＭ，ＲＡＭ等からなるマイクロコンピュータを主要構成とする。制御装置４０は、少なくとも、圧縮機１１の駆動、四方弁１３の切換動作、バイパス開閉弁６１の開閉動作、ホットガスバイパス開閉弁６２の開閉動作を制御する。
【００３３】
また、冷媒回路の各所に温度センサ及び圧力センサが取り付けられる。これらの各種センサのうち、吐出温度センサ５１は第一配管３１に取り付けられており、圧縮機１１から吐出された冷媒の温度（吐出温度）を検出する。吸入温度センサ５２はアキュムレータ出口配管３６に取り付けられており、圧縮機１１に吸入される冷媒の温度（吸入温度）を検出する。また、吸入圧力センサ５３はアキュムレータ出口配管３６に取り付けられており、圧縮機１１の吸入口１１ａに通じるアキュムレータ出口配管３６内の圧力、すなわち圧縮機１１の吸入口１１ａ側の冷媒圧力（吸入圧力）ＰＬを検出する。また、外気温度センサ５４は、室外機のハウジングに取り付けられており、外気温度Ｔｏｕｔを検出する。また、図示しないが、圧縮機１１に回転速度センサが取り付けられている。この回転速度センサは圧縮機１１の実回転速度（単位時間当たりの回転数）Ｒを検出する。各センサにより検出された温度情報、圧力情報、及び回転速度情報は、制御装置４０に入力される。
【００３４】
次に、上記構成の空気調和装置１の空調動作について説明する。本実施形態に係る空気調和装置１は、空調モードが暖房モードであるか冷房モードであるかをユーザがリモコンなどを操作することにより設定することができるようにされている。そして、設定された空調モードに従って、室外機１０が空調運転する。
【００３５】
空気調和装置１の空調モードが暖房モードであるときに、すなわち暖房運転時に、四方弁１３の切換状態が暖房時切換状態になるように、制御装置４０が四方弁１３の切換動作を制御する。空気調和装置１の空調モードが冷房モードであるときに、すなわち冷房運転時に、四方弁１３の切換状態が冷房時切換状態になるように、制御装置４０が四方弁１３の切換動作を制御する。図２において、冷房運転時における冷媒の流れが実線の矢印により示され、暖房運転時における冷媒の流れが破線の矢印により示される。
【００３６】
まず、暖房運転について説明する。ガスエンジンなどの動力源の駆動により圧縮機１１が作動すると、圧縮機１１は、アキュムレータ出口配管３６内の低圧ガス冷媒を吸入口１１ａから吸入するとともに吸入した低圧ガス冷媒を圧縮して高温高圧ガス冷媒を生成する。そして、生成した高温高圧ガス冷媒を吐出口１１ｂから吐出する。吐出口１１ｂから吐出された高温高圧ガス冷媒は第一配管３１を流れる。
【００３７】
第一配管３１の途中に介装されているオイルセパレータ１２によって、圧縮機１１から第一配管３１に流出したオイルが回収される。回収されたオイルは圧縮機１１に戻される。また、第一配管３１の途中にはホットガスバイパス配管３９が接続されている。ホットガスバイパス配管３９に介装されたホットガスバイパス開閉弁６２は、空気調和装置１の運転中に、例えば冷媒回路内の冷媒圧力が高すぎるようなときに開くように、制御装置４０によりその開閉動作が制御される。ホットガスバイパス開閉弁６２が開いている場合、第一配管３１内の一部のガス冷媒はホットガスバイパス配管３９を流れてアキュムレータ入口配管３５に至り、さらにアキュムレータ入口配管３５からアキュムレータ１８に導入される。ホットガスバイパス開閉弁６２が閉じている場合、第一配管３１内のガス冷媒は四方弁１３の第一ポート１３ａに入る。
【００３８】
四方弁１３は、暖房運転時に暖房時切換状態になるように制御装置４０によりその切換動作が制御されているから、暖房運転時には、四方弁１３の第一ポート１３ａが第二ポート１３ｂに連通する。そのため第一配管３１から四方弁１３の第一ポート１３ａに入った高温高圧ガス冷媒は、第二ポート１３ｂから四方弁１３を流出して第二配管３２に流れる。
【００３９】
第二配管３２の途中にはバイパス配管３８が接続されている。バイパス配管３８に介装されたバイパス開閉弁６１は、暖房運転時に閉じるように制御装置４０によりその開閉動作が制御される。従って、暖房運転時には、第二配管３２内の冷媒は、バイパス配管３８を流れることなく室内機側の室内熱交換器２２に流入する。室内熱交換器２２に流入した高温高圧ガス冷媒は、室内熱交換器２２内を流通する間に室内気と熱交換し、室内に熱を吐き出して凝縮する。つまり、暖房運転時には室内熱交換器２２が凝縮器として機能する。このとき高温高圧ガス冷媒から吐き出された熱によって室内気が暖められて、室内が暖房される。
【００４０】
室内気に熱を吐き出して凝縮した冷媒は一部液化し、室内熱交換器２２から中間配管３４に流出する。そして、中間配管３４の途中に介装された室内側電子膨張弁２１で膨張することにより中圧化される。その後、室外機側の過冷却コイル１７を通過することにより過冷却される。過冷却コイル１７を流出した冷媒の一部は、中間配管３４に接続されている分岐配管３７を流れる。そして、分岐配管３７に設けられているサブ熱交換器１６に入り、このサブ熱交換器１６によって、例えばエンジン冷却水と熱交換する。サブ熱交換器１６で熱交換した冷媒は、分岐配管３７からアキュムレータ入口配管３５を流れてアキュムレータ１８に導入される。
【００４１】
一方、中間配管３４から分岐配管３７に流れなかった冷媒は、配管Ｌ２を流れ、配管Ｌ２に介装された室外側電子膨張弁１５を通る。室外側電子膨張弁１５を通ることにより冷媒が低圧化される。室外側電子膨張弁１５を通った冷媒は、室外熱交換器１４に流入する。室外熱交換器１４に流入した冷媒は室外熱交換器１４内を流通する間に外気と熱交換し、外気の熱を奪って蒸発する。つまり、暖房運転時には室外熱交換器１４が蒸発器として機能する。
【００４２】
外気の熱を奪って蒸発した冷媒は一部気化して室外熱交換器１４から第三配管３３に流出し、その後、四方弁１３の第三ポート１３ｃに入る。暖房運転時には、四方弁１３の第三ポート１３ｃが第四ポート１３ｄに連通しているから、第三配管３３から四方弁１３の第三ポート１３ｃに入った冷媒は第四ポート１３ｄから四方弁１３を流出してアキュムレータ入口配管３５を流れる。アキュムレータ入口配管３５を流れた冷媒はアキュムレータ１８に導入される。アキュムレータ１８では導入された冷媒が気液分離され、気液分離された低温低圧のガス冷媒がアキュムレータ出口配管３６に流出する。そして、アキュムレータ出口配管３６内のガス冷媒が圧縮機１１の吸入口１１ａに戻される。このような冷媒の循環サイクルが繰り返されることにより、室内暖房が継続される。
【００４３】
次に、冷房運転について説明する。圧縮機１１が作動すると、圧縮機１１の吐出口１１ｂから第一配管３１に高温高圧ガス冷媒が吐出される。高温高圧ガス冷媒は第一配管３１を流れ、オイルセパレータ１２を経由して四方弁１３の第一ポート１３ａに入る。
【００４４】
四方弁１３は、冷房運転時には冷房時切換状態になるように制御装置４０によりその切換動作が制御されているから、冷房運転時には、四方弁１３の第一ポート１３ａが第三ポート１３ｃに連通する。そのため第一配管３１から四方弁１３の第一ポート１３ａに入った高温高圧ガス冷媒は、第三ポート１３ｃから四方弁１３を流出して第三配管３３に流れる。第三配管３３に流れた高温高圧ガス冷媒は室外熱交換器１４に流入する。室外熱交換器１４に流入した冷媒は室外熱交換器１４内を流通する間に外気と熱交換し、外気に熱を吐き出して凝縮する。つまり、冷房運転時には室外熱交換器１４が凝縮器として機能する。
【００４５】
外気に熱を吐き出して凝縮した冷媒は一部液化し、室外熱交換器１４から中間配管３４に流出する。中間配管３４に流出した液冷媒（或いは気液二相冷媒）は、配管Ｌ１を通過する。その後、一部の冷媒が分岐配管３７を流れ、分岐配管３７に設けられているサブ熱交換器１６にて熱交換する。サブ熱交換器１６で熱交換した冷媒は、分岐配管３７からアキュムレータ入口配管３５を流れてアキュムレータ１８に導入される。
【００４６】
分岐配管３７を流れなかった冷媒は、中間配管３４に介装されている過冷却コイル１７を通過し、その後、室内機側の室内側電子膨張弁２１を通る。この室内側電子膨張弁２１で冷媒が膨張することにより蒸発しやすいように低圧化される。その後、冷媒は室内熱交換器２２に流入する。室内熱交換器２２に流入した冷媒は室内熱交換器２２内を流通する間に室内気と熱交換し、室内気の熱を奪って蒸発する。つまり、室内熱交換器２２は冷房運転時に蒸発器として機能する。このとき冷媒が室内気の熱を奪うことによって室内空気が冷やされて、室内が冷房される。
【００４７】
室内気の熱を奪って蒸発した冷媒は一部気化し、室内熱交換器２２から第二配管３２に流出する。ここで、上述したように、第二配管３２は、バイパス配管３８によりアキュムレータ出口配管３６に接続されている。また、バイパス配管３８に、バイパス開閉弁６１が介装されている。このバイパス開閉弁６１は、暖房運転時には閉じているが、冷房運転時には、後述する所定の条件が成立した時に、開く。バイパス開閉弁６１が開いている場合、第二配管３２内の冷媒が、バイパス配管３８を経由してアキュムレータ出口配管３６に流入する。一方、バイパス開閉弁６１が閉じている場合、第二配管３２内の冷媒は、バイパス配管３８を通らずに、四方弁１３に向かう。そして、四方弁１３の第二ポート１３ｂに入る。冷房運転時には四方弁１３の第二ポート１３ｂが第四ポート１３ｄに連通しているから、第二配管３２から四方弁１３の第二ポート１３ｂに入った冷媒は、第四ポート１３ｄから四方弁１３を流出してアキュムレータ入口配管３５に流入する。アキュムレータ入口配管３５を流れた冷媒はアキュムレータ１８に導入される。アキュムレータ１８では導入された冷媒が気液分離され、分離された低温低圧のガス冷媒がアキュムレータ出口配管３６に流出する。そして、アキュムレータ１８からアキュムレータ出口配管３６内に流入したガス冷媒、及び、バイパス配管３８を経由してアキュムレータ出口配管３６内に流入したガス冷媒が、圧縮機１１の吸入口１１ａに戻される。このような冷媒の循環サイクルが繰り返されることにより、室内冷房が継続される。
【００４８】
上記の説明からわかるように、冷房運転時には、圧縮機１１の吐出口１１ｂから吐出された冷媒が、室外熱交換器１４を流れることにより凝縮され、次いで、室内側電子膨張弁２１を流れることにより膨張され、次いで、複数の室内機２０ａ，２０ｂ，２０ｃ，２０ｄに備えられるそれぞれの室内熱交換器２２を流れることにより蒸発され、その後、アキュムレータ１８に導入されて気液分離されてから、気液分離された気相冷媒が圧縮機１１の吸入口１１ａに戻されるように、圧縮機１１、室外熱交換器１４、室内側電子膨張弁２１、複数の室内熱交換器２２、及びアキュムレータ１８が、この順で、冷媒配管３０により接続される。
【００４９】
また、複数の室内機２０ａ，２０ｂ，２０ｃ，２０ｄのそれぞれに備えられている室内熱交換器２２は、それぞれ独立して動作する。従って、例えば空気調和装置１の冷房運転時に、冷房すべき空間の設定温度と実温度との差が小さい場合、その空間に設置されている室内熱交換器２２は停止している。停止している室内熱交換器２２には冷媒は流入しない。一方、冷房すべき空間の設定温度と実温度との差が大きい場合、その空間に設置されている室内熱交換器２２は運転している。運転している室内熱交換器２２には冷媒が流入する。
【００５０】
また、本実施形態に係る空気調和装置１は、バイパス配管３８と、バイパス開閉弁６１とを備える。バイパス配管３８は、冷房運転時に冷媒配管３０のうち複数の室内熱交換器２２よりも下流側であって且つ四方弁１３及びアキュムレータ１８よりも上流側の部分を流れる冷媒、すなわち、冷房運転時において室内熱交換器２２から流出した冷媒が流れる第二配管３２内の冷媒を、圧縮機１１の吸入口１１ａに導く。また、バイパス開閉弁６１は、バイパス配管３８に介装され、開くことによってバイパス配管３８内の冷媒の流通が許可され、閉じることによってバイパス配管３８内の冷媒の流通が禁止されるように構成される。
【００５１】
そして、本実施形態においては、冷房運転時であって且つ所定の条件が成立した時にバイパス開閉弁６１が開く。バイパス開閉弁６１が開いている場合、運転中の室内熱交換器２２（蒸発器）を流出して第二配管３２内を流れる冷媒がバイパス配管３８を流れることにより四方弁１３及びアキュムレータ１８をバイパスする。このようにして冷媒が四方弁１３及びアキュムレータ１８をバイパスすることにより、これらの構成要素を通過する際の圧力損失の発生を防止することができる。こうして圧力損失が低減されることにより、空気調和装置１の冷凍効率を高めることができる。
【００５２】
冷房運転時にバイパス開閉弁６１が開いている場合、上述したようにバイパス配管３８を冷媒が流れるが、バイパス配管３８を流れる冷媒に液冷媒が含まれていると、圧縮機１１の吸入口１１ａに液冷媒が流入する。圧縮機１１に液冷媒が流入すると、冷媒の吸入過熱度が低下して圧縮機１１が液冷媒を圧縮するようになる。圧縮機１１が液冷媒を圧縮すると、圧縮機１１の作動に支障を来す虞がある。このような不具合の発生を防止するため、本実施形態に係る空気調和装置１においては、バイパス開閉弁６１が開いているときは、圧縮機１１に吸入される冷媒に液冷媒が含まれていないように、バイパス開閉弁６１の開閉動作が制御装置４０によって制御される。
【００５３】
図３は、制御装置４０がバイパス開閉弁６１の開閉動作を制御するために実行する制御処理ルーチンの流れを示すフローチャートである。このルーチンは、空気調和装置１が始動したときに起動し、所定の短時間ごとに繰り返し実行される。
【００５４】
このルーチンが起動すると、制御装置４０は、まず、図３のステップ（以下、ステップ番号をＳと略記する）１にて、空気調和装置１が冷房運転中であるか否かを判断する。空気調和装置１が冷房運転中でない場合（Ｓ１：Ｎｏ）、制御装置４０は、Ｓ９に処理を進め、バイパス開閉弁６１に閉作動信号を送る。これにより、バイパス開閉弁６１が閉じる。また、既にバイパス開閉弁６１が閉じているときは、その状態が維持される。その後、制御装置４０はこのルーチンを終了する。
【００５５】
一方、Ｓ１にて空気調和装置１が冷房運転中であると判断した場合（Ｓ１：Ｙｅｓ）、制御装置４０は、Ｓ２にて、空気調和装置１の始動が完了してから１５分経過したか否かを判断する。空気調和装置１の始動が完了してから１５分経過していない場合（Ｓ２：Ｎｏ）、制御装置４０はＳ９に処理を進め、バイパス開閉弁６１に閉作動信号を送る。これにより、バイパス開閉弁６１が閉じる。また、既にバイパス開閉弁６１が閉じているときは、その状態が維持される。その後、制御装置４０はこのルーチンを終了する。
【００５６】
一方、Ｓ２にて空気調和装置１の始動が完了してから１５分経過していると判断した場合（Ｓ２：Ｙｅｓ）、制御装置４０は、Ｓ３にて、現在オイル戻し処理中ではないか否かを判断する。オイル戻し処理中であると判断した場合（Ｓ３：Ｎｏ）、制御装置４０はＳ９に処理を進め、バイパス開閉弁６１に閉作動信号を送る。これにより、バイパス開閉弁６１が閉じる。また、既にバイパス開閉弁６１が閉じているときは、その状態が維持される。ここで、オイル戻し処理とは、冷房運転時においては、各室内熱交換器２２に滞留している（寝込んでいる）オイルを圧縮機１１に戻すように、冷媒回路内に冷媒を流す処理である。このオイル戻し処理は、所定の時間間隔ごと（例えば１０時間ごと）に、定期的に行われる。オイル戻し処理が実行された場合、全ての室内熱交換器２２に冷媒が流される。このオイル戻し処理中にバイパス開閉弁６１が開いていると、液冷媒がオイルとともに圧縮機１１の吸入口１１ａに流入するため好ましくない。よって、オイル戻し処理中は、バイパス開閉弁６１が閉じるように、バイパス開閉弁６１の開閉動作が制御装置４０により制御される。その後、制御装置４０はこのルーチンを終了する。
【００５７】
Ｓ３にてオイル戻し処理中ではないと判断した場合（Ｓ３：Ｙｅｓ）、制御装置４０は、Ｓ４にて、下限回転速度Ｒ１を演算する。ここで、下限回転速度Ｒ１の意味を説明する。圧縮機１１の回転速度が低い場合、圧縮機１１の吸入口１１ａに吸入される冷媒の圧力である吸入圧力ＰＬが高くなって、冷媒が液化しやすくなる。このため、圧縮機１１の回転速度が低いと、圧縮機１１に吸入される冷媒に液冷媒が含まれる虞がある。つまり、圧縮機１１の回転速度が低い状態でバイパス開閉弁６１が開いていると、バイパス配管３８内の冷媒に液冷媒が含まれる虞がある。そして、圧縮機１１が液冷媒を圧縮した場合、圧縮機１１が作動不良を起こす虞がある。下限回転速度Ｒ１は、このような事態（圧縮機１１の液圧縮）が生じないような圧縮機１１の回転速度の下限値である。
【００５８】
圧縮機１１の液圧縮を回避するためには、室内熱交換器２２での冷媒の蒸発を促進させる必要がある。従って、下限回転速度Ｒ１は、圧縮機１１の液圧縮が回避される程度に室内熱交換器２２で冷媒を十分に蒸発させて圧縮機１１に吸入される冷媒に液冷媒が含まれないような圧縮機１１の回転速度の下限値ともいえる。このような下限回転速度Ｒ１は、室内熱交換器２２の運転容量に依存する。具体的には、下限回転速度Ｒ１は、室内熱交換器２２の運転容量が大きいほど高くされ、室内熱交換器２２の運転容量が小さいほど低くされる。なお、個々の室内熱交換器２２の運転容量は固定値（例えば１４ｋＷ）である。本実施形態においては、空気調和装置１が複数の室内熱交換器２２を備えている。この場合、下限回転速度Ｒ１は、冷房運転中の室内熱交換器２２の運転容量の総和である総運転容量Ｐに依存する。総運転容量Ｐは、冷房運転中の室内熱交換器２２の台数、及び、冷房運転している室内熱交換器２２の運転容量の大きさによって変動する。そして、下限回転速度Ｒ１は、総運転容量Ｐが大きいほど高くされ、総運転容量Ｐが小さいほど低くされる。
【００５９】
図４は、Ｓ４にて下限回転速度Ｒ１を演算するために制御装置４０が実行する下限回転速度演算処理（下限回転速度設定処理）の流れの一例を示すフローチャートである。図４によれば、制御装置４０は、下限回転速度Ｒ１を演算するにあたり、まず、図４のＳ４１にて、冷房運転中の室内熱交換器２２を検出する。次いで、冷房運転中の室内熱交換器２２の総運転容量Ｐを計算する（Ｓ４２）。そして、総運転容量Ｐが大きいほど高く、総運転容量Ｐが小さいほど低くなるように、総運転容量Ｐに基づいて、下限回転速度Ｒ１を演算する（Ｓ４３）。
【００６０】
上記した下限回転速度演算処理によれば、例えば、室内機２０ａ、２０ｂ、２０ｃにそれぞれ備えられる室内熱交換器２２の運転容量がそれぞれ１４ｋＷであり、室内機２０ｄに備えられる室内熱交換器２２の運転容量が２８ｋＷであるとする。また、室内機２０ａ，２０ｂ，及び２０ｄに備えられる室内熱交換器２２が冷房運転中であり、室内機２０ｃに備えられる室内熱交換器２２が停止中であるとする。この場合、総運転容量Ｐは、１４＋１４＋２８＝５６ｋＷである。このようにして求められた総運転容量Ｐに、例えば所定の正の定数αを乗じることにより、下限回転速度Ｒ１が求められる。定数αは、予め実験等によって求められる。このようにして、下限回転速度Ｒ１が、総運転容量Ｐが大きいほど高く、総運転容量Ｐが小さいほど低くなるように、総運転容量Ｐに基づいて定められる。
【００６１】
図３のＳ４にて下限回転速度Ｒ１を演算した後に、制御装置４０は、Ｓ５にて、回転速度センサから入力された回転速度情報に基づいて、現在の圧縮機１１の実回転速度Ｒを取得する。続いて、制御装置４０は、実回転速度Ｒが下限回転速度Ｒ１以上であるか否かを判断する（Ｓ６）。
【００６２】
Ｓ６にて、実回転速度Ｒが下限回転速度Ｒ１未満であると判断した場合（Ｓ６：Ｎｏ）、制御装置４０は、Ｓ９に処理を進めて、バイパス開閉弁６１に閉作動信号を送る。これにより、バイパス開閉弁６１が閉じる。また、既にバイパス開閉弁６１が閉じているときは、その状態が維持される。その後、制御装置４０はこのルーチンを終了する。
【００６３】
一方、Ｓ６にて、実回転速度Ｒが下限回転速度Ｒ１以上であると判断した場合（Ｓ９：Ｙｅｓ）、制御装置４０は、Ｓ７に処理を進め、前回にバイパス開閉弁６１を閉作動させた後に、１５分経過しているか否かを判断する。Ｓ７にて１５分経過していないと判断した場合（Ｓ７：Ｎｏ）、制御装置４０は、Ｓ９に処理を進めて、バイパス開閉弁６１に閉作動信号を送る。これにより、バイパス開閉弁６１が閉じる。また、既にバイパス開閉弁６１が閉じているときは、その状態が維持される。その後、制御装置４０はこのルーチンを終了する。
【００６４】
一方、Ｓ７にて１５分経過していると判断した場合（Ｓ７：Ｙｅｓ）、制御装置４０は、Ｓ８に処理を進めて、バイパス開閉弁６１に開作動信号を送る。これにより、バイパス開閉弁６１が開く。また、既にバイパス開閉弁６１が開いているときは、その状態が維持される。その後、制御装置４０はこのルーチンを終了する。図３において、Ｓ６，Ｓ８，Ｓ９の処理が、本発明における開閉弁制御処理に相当する。
【００６５】
制御装置４０が上記したバイパス開閉弁６１の制御処理を実行した場合、空気調和装置１の冷房運転時に以下の条件が全て成立したときに、バイパス配管３８に介装されたバイパス開閉弁６１が開く。
条件１）：空気調和装置１の始動完了後１５分経過以上している
条件２）：オイル戻し処理中ではない
条件３）：圧縮機１１の実回転速度Ｒが下限回転速度Ｒ１以上である
条件４）：バイパス開閉弁６１が、前回「閉」操作されたときから１５分以上経過している
【００６６】
上記した条件１）〜条件４）のうち、条件１）が不成立であるとき、すなわち空気調和装置１の始動完了から１５分経過していないときに、バイパス開閉弁６１を閉じておくことにより、不安定な始動初期時にバイパス配管３８を経由して液冷媒が圧縮機１１の吸入口１１ａから圧縮機１１内に供給されることを防止することができる。
【００６７】
また、条件２）が不成立であるとき、すなわち空気調和装置１がオイル戻し処理中であるときに、バイパス開閉弁６１を閉じておくことにより、オイル戻し処理中に圧縮機１１にオイルとともに液冷媒が圧縮機１１に吸入されることを防止することができる。
【００６８】
また、条件４）が不成立であるとき、すなわちバイパス開閉弁６１が、前回「閉」操作されたときから１５分経過していないときに、バイパス開閉弁６１を閉じておくことにより、バイパス開閉弁６１の開閉動作間隔が１５分以上にされる。このようにしてバイパス開閉弁６１の開閉動作間隔を所定の時間間隔以上にすることで、バイパス開閉弁６１の耐久性を向上させることができる。
【００６９】
また、本実施形態においては、条件３）が不成立であるとき、すなわち圧縮機１１の実回転速度Ｒが下限回転速度Ｒ１未満であるときにも、バイパス開閉弁６１が閉じられる。言い換えれば、圧縮機１１の実回転速度Ｒが下限回転速度Ｒ１以上であるときに、バイパス開閉弁６１が開く。
【００７０】
上述したように、下限回転速度Ｒ１は、その回転速度以上で圧縮機１１が作動しているときに、圧縮機１１の吸入口１１ａに吸入される冷媒に液冷媒が含まれないような回転速度として定められている。従って、圧縮機１１が下限回転速度Ｒ１以上の回転速度で作動している限り、室内熱交換器２２からバイパス配管３８を経由して圧縮機１１の吸入口１１ａに戻された冷媒に液冷媒が含まれていないことになる。つまり、バイパス開閉弁６１が開いているときは、必然的に、圧縮機１１の実回転速度が下限回転速度Ｒ１以上であり、それ故に、バイパス配管３８を流れる冷媒に液冷媒は含まれない。よって、圧縮機１１が液圧縮することもない。
【００７１】
また、バイパス開閉弁６１の開閉動作に影響を及ぼす下限回転速度Ｒ１は、総運転容量Ｐが小さいほど小さくなるように、総運転容量Ｐに基づいて定められる。ここで、総運転容量Ｐは、運転中の室内熱交換器２２の台数、及び、運転中の室内熱交換器２２の運転容量によって変動する。したがって、本実施形態においては、総運転容量Ｐが小さい低負荷運転時には、圧縮機１１の実回転速度Ｒが相対的に小さくされるが、このとき圧縮機１１の下限回転速度Ｒ１も小さくされる。よって、低負荷運転時（圧縮機１１の実回転速度Ｒが低いとき）においては、バイパス開閉弁６１を開いてもよい圧縮機１１の回転速度領域の下限が低く設定される。そのため、低負荷運転時であっても、室内熱交換器２２を流出したガス冷媒がアキュムレータ１８をバイパスするように、バイパス開閉弁６１を開いておくことが可能になる。よって、低負荷運転時であっても室内熱交換器２２を流出したガス冷媒をアキュムレータ１８を通さずに、直接、圧縮機１１に戻すことにより、冷房運転時における冷凍効率を高めることができる。
【００７２】
また、上記特許文献１においては、バイパス開閉弁を開くための条件に、「外気温度が所定温度以上」という条件を設定している。本実施形態では、バイパス開閉弁６１を開くための条件にこのような外気温度条件が盛り込まれていない。よって、低外気温度の冷房運転時においても、上記条件１）〜４）を満たす限り、バイパス開閉弁６１が開く。このため、より一層、冷房運転時における冷凍効率を高めることができる。
【００７３】
また、上記特許文献１においては、バイパス開閉弁を開くための条件に、「室内設定温度が所定温度以上」という条件を設定している。本実施形態では、バイパス開閉弁６１を開くための条件にこのような室内設定温度条件が盛り込まれていない。よって、室内設定温度が低い場合でも、上記条件１）〜４）を満たす限り、バイパス開閉弁６１が開く。このため、より一層、冷房運転時における冷凍効率を高めることができる。
【００７４】
また、上記特許文献１においては、バイパス開閉弁を開くための条件に、「室内ファンモータの回転速度が所定回転速度以上」という条件を設定している。本実施形態では、バイパス開閉弁６１を開くための条件にこのようなファンモータ回転速度条件が盛り込まれていない。よって、室内ファンの風量が低い場合でも、上記条件１）〜４）を満たす限り、バイパス開閉弁６１が開く。このため、より一層、冷房運転時における冷凍効率を高めることができる。
【００７５】
以上、本発明の実施形態について説明したが、本発明は、上記実施形態に限定されることはない。例えば、上記実施形態にて説明した下限回転速度Ｒ１は、冷房運転中の室内熱交換器２２の総運転容量Ｐが小さいほど低くなるように、総運転容量Ｐの大きさが反映された回転速度であればよく、そのような前提の下であれば、他の要因をも考慮して下限回転速度Ｒ１を定めることもできる。また、下限回転速度Ｒ１は、冷房運転中の室内熱交換器２２の総運転容量Ｐに基づいて得られた回転速度に、所定の安全率を乗じた回転速度、或いは所定の回転速度を加算した回転速度に定めることもできる。このように、本発明は、その趣旨を逸脱しない限りにおいて、変形可能である。
【符号の説明】
【００７６】
１…空気調和装置、１０…室外機、１１…圧縮機、１１ａ…吸入口、１１ｂ…吐出口、１３…四方弁、１３ａ…第一ポート、１３ｂ…第二ポート、１３ｃ…第三ポート、１３ｄ…第四ポート、１４…室外熱交換器、１５…室外側電子膨張弁、１８…アキュムレータ、２０ａ，２０ｂ，２０ｃ，２０ｄ…室内機、２１…室内側電子膨張弁（膨張弁）、２２…室内熱交換器、３０…冷媒配管（冷媒通路）、３１…第一配管、３２…第二配管、３３…第三配管、３４…中間配管、３５…アキュムレータ入口配管、３６…アキュムレータ出口配管、３７…分岐配管、３８…バイパス配管（バイパス通路）、３９…ホットガスバイパス配管、４０…制御装置、５１…吐出温度センサ、５２…吸入温度センサ、５３…吸入圧力センサ、５４…外気温度センサ、６１…バイパス開閉弁、６２…ホットガスバイパス開閉弁、Ｐ…総運転容量、Ｒ…実回転速度、Ｒ１…下限回転速度、
【図１】
0006554903.tif 000002
【図２】
0006554903.tif 000003
【図３】
0006554903.tif 000004
【図４】
0006554903.tif 000005